(57)【特許請求の範囲】
【請求項１】
一側に第１の接続部および第２の接続部を並べて設けた点灯ブロックと、前記第１の接続部に直接接続される第１のコネクタを有して前記点灯ブロックに並設された端子台と、前記第２の接続部に直接接続される第２のコネクタを有して前記端子台に並設された電池ボックスと、前記点灯ブロック、前記端子台および前記電池ボックスを取付ける取付面を有する器具本体とを備え、前記点灯ブロックと前記端子台と前記電池ボックスとが前記器具本体に取付けられた状態でなす前記取付面上の外形が略四角形である照明器具。  
【請求項２】
前記端子台は、前記点灯ブロックに向く方向の成分および前記取付面から離れる方向の成分を有する斜めの方向に向くか、あるいは前記電池ボックスと反対側に向いた電線挿入孔を有する請求項１記載の照明器具。  
【請求項３】
前記点灯ブロックは、その前記取付面と反対側の面の前記端子台に近い部分に、前記電線挿入孔に電線を導くための傾斜面を有する請求項２記載の照明器具。  
【請求項４】
前記点灯ブロックは点検スイッチおよびモニタランプを設けた請求項１または請求項２記載の照明器具。  
【請求項５】
前記点灯ブロックは、電池ボックスを着脱する際に手指が挿入できる窪みを有し、この窪みにリセットボタンを設けた請求項１または請求項２記載の照明器具。
【発明の詳細な説明】
【技術分野】
【０００１】
この発明は、非常灯や誘導灯などの表示用照明器具等の照明器具に関するものである。
【背景技術】
【０００２】
従来例を図８および図９に示す。すなわち、この誘導灯は、器具本体１００内の点灯ブロック１０１と端子台１０２を電線１０４により接続している。また点灯ブロック１０１と蓄電池を内蔵した電池ボックス１０３とは電線１０６、１０７に取付けられた接続コネクタ１０８、１０９により接続されている。さらに点検スイッチおよびモニタランプを含む点検ブロック１０５は電線１１０により点灯ブロック１０１に接続されている。１１１は器具本体１００のランプソケット１００ａに装着するランプホルダ、１１２は器具本体１００の正面開口を塞ぐ透光性の表示板ユニットである。なおこの従来例の近似例として、例えば特許文献１参照。  
【特許文献１】特開２００３−３０４１４０号公報
【発明の開示】
【発明が解決しようとする課題】
【０００３】
しかしながら、従来の誘導灯は、点灯ブロック１０１、端子台１０２、電池ボックス１０３、点検ブロック１０５が分離し、離れて設置されているため、器具をコンパクトにすることが困難であった。
【０００４】
また、電源線も端子台１０２の挿入口に差し込むことが非常に困難であった。さらに端子台１０２、電池ボックス１０３および点検ブロック１０５が点灯ブロック１０１に電線１０４等およびコネクタ１０８、１０９により接続されているので、組立作業性が悪く、コストもかかっていた。
【０００５】
したがって、この発明の目的は、コンパクトで組立性およびコスト性に優れ、電源線の施工も容易にすることができる照明器具を提供することである。
【課題を解決するための手段】
【０００６】
この発明の照明器具は、点灯ブロックが一側に第１の接続部および第２の接続部を並べて設けている。端子台は、前記第１の接続部に直接接続される第１のコネクタを有して前記点灯ブロックに並設されている。電池ボックスは、前記第２の接続部に直接接続される第２のコネクタを有して前記端子台に並設されている。器具本体は、前記点灯ブロック、前記端子台および前記電池ボックスを取付ける取付面を有する。そして、前記点灯ブロックと前記端子台と前記電池ボックスとが前記器具本体に取付けられた状態でなす前記取付面上の外形が略四角形である。
【０００７】
上記構成において、前記端子台は、前記点灯ブロックに向く方向の成分および前記取付面から離れる方向の成分を有する斜めの方向に向くか、あるいは前記電池ボックスと反対側に向いた電線挿入孔を有する。  
【０００８】
上記構成において、前記点灯ブロックは、その前記取付面と反対側の面の前記端子台に近い部分に、前記電線挿入孔に電線を導くための傾斜面を有する。  
【０００９】
上記構成において、前記点灯ブロックは点検スイッチおよびモニタランプを設けている。  
【００１０】
上記構成において、前記点灯ブロックは、電池ボックスを着脱する際に手指が挿入できる窪みを有し、この窪みにリセットボタンを設けている。
【発明の効果】
【００１１】
この発明の照明器具によれば、点灯ブロックと端子台および蓄電池を電線レスで接続することにより器具をコンパクトにすることができるとともに、組立作業性が向上し、コストも抑えることができる。また点灯ブロックと端子台と電池ボックスで平面的に四角形をなすので器具本体内に無駄なスペースを作ることなく収納することができ、収まりよくなる。
【００１２】
電源線を点灯ブロック側から斜めに挿入した場合には、電源線の引き回しを大きくできるので施工容易になる。  
【００１３】
電源線の施工を点灯ブロック側から斜めに挿入する際、傾斜面により電源線の引き回しのための空間を増やすことができ施工性が向上する。
【００１４】
点検スイッチおよびモニタランプは直接点灯ブロックの基板の隅近傍に装着されることにより、電線レスとともにデザイン性に優れた器具とすることができる。
【００１５】
蓄電池交換のために手指が挿入できる窪みにランプ交換時のリセットボタンを設けたため、リセットボタン用のスイッチの選択の幅を広げることができる。    
【発明を実施するための最良の形態】
【００１６】
この発明の第１の実施の形態を図１から図４により説明する。すなわち、この表示用照明器具は誘導灯であり、器具本体１と、点灯ブロック２と、電池ボックス３と、端子台４と、ランプホルダ５と、表示ユニット３４からなる。
【００１７】
器具本体１は、正面に開口１ｆを形成した薄箱形であり、開口１ｆの奥側となりかつ内部部品の取付面となる背板１ａ、側板１ｂ、１ｃ、下板１ｄ、上板１ｅからなる。背板１ａには上部寄りに電源穴７および複数の壁取付孔８を形成している。背板１ａの側板１ｂの下端寄りに電池ボックス固定用爪を用いた係止片１４を立設状態に設けている。下板１ｄには複数の点検関連用の穴９が設けられている。上板１ｅには天井取付けの際に使用する電源穴１０および取付け穴１１が設けられている。側板１ｂ、１ｃには各上端部にランプホルダ５を受けるランプソケット１２が設けられ、中間部に表示ユニット３４の引っ掛け部３４ａを引っ掛けるための係止部１３を設けている。
【００１８】
点灯ブロック２は平面的にみて略四角形をなし内部に点灯回路を内蔵しており、開口１ｆより器具本体１内に収納され、器具本体１の下板１ｄ上に当接してまたは下板１ｄより若干浮かして側板１ｃ寄りに配置され背板１ａに固定手段により固定されている。この点灯ブロック２は、ケース２ａとケース２ａ内に設けられ点灯回路部品を実装したプリント基板１６とで構成している。プリント基板１６は下端角部に例えばピンを用いた端子１７および爪状の引っ掛け部１８を立設している。点灯ブロック２のケース２ａは一側の下端側に凹部３７を形成しており、その下端角部に一端が凹部３７の側面に開口し他端が下面に開口する平面逆Ｌ字形の窪みとなる凹溝部１９を形成し、その溝底に形成した開口部より端子１７および引っ掛け部１８を露出している。凹溝部１９は電池ボックス３を着脱する際に手指が挿入できる程度の幅を有する。また凹溝部１９内にリセットスイッチ６９が配置されている。リセットスイッチ６９は点灯ブロック２に内蔵されたランプ交換時期を知らせるタイマを動作開始させるものであり、タイマはランプ交換時期がくると後述のモニタランプ２４を点灯させる。リセットスイッチ６９はリセットボタン６９ａが凹溝部１９の底部に形成した穴１９ａより露出するようにプリント基板１６に設けており、凹溝部１９を用いることより背の高いスイッチ等を用いる必要がなくなるのでスイッチの選択の幅を広げることができる。穴１９ａの周縁にはリブとなる突条１９ｂが設けられ、リセットボタン６９ａが傾くことなく真っ直ぐ上下に操作されるようにガイドする役割をしている。これによりプリント基板１６に応力がかかることを防止している。また凹溝部１９の内側面の相対向する部分で端子１７の両側に、後述するコネクタ部２５の位置決め用ガイド２０として溝を形成している。さらに点灯ブロック２の下端部寄りに点検スイッチ２３およびモニタランプ２４などの点検部を設け、これらに下板１ｄの点検関連用の穴９が対向している。このように点検スイッチ２３およびモニタランプ２４は直接点灯ブロック２のプリント基板１６の隅近傍に設けられているため、電線レスとともにデザイン性に優れた器具を提供することとなる。
【００１９】
ケース２ａの一側の上端部にはプリント基板１６を露出させる小開口部２１を形成し、小開口部２１よりプリント基板１６の露出した部分に受け端子４０を設けている。小開口部２１の上側は小開口部２１を最下端とする屋根状の傾斜面２２としている。
【００２０】
このようにして点灯ブロック２の一側部には第１の接続部としての受け端子４０および第２の接続部としての端子１７が上下に並んで設けられている。
【００２１】
電池ボックス３は、平面的にみて四角形であり、点灯ブロック２と並べて配置されるように開口１ｆより器具本体１内に収納され、器具本体１の下板１ｄ上に配置され、後述のように背板１ａに固定される。電池ボックス３は点灯ブロック２に対向する側部が凹部３７に嵌まるとともに、端子１７に直接接続されるコネクタ部２５をその側部より突設し、電池ボックス３を器具本体１に収納する収納方向の操作によって、コネクタ部２５が端子１７に電気的に接続されるようにしている。この場合、電池ボックス３と点灯ブロック２は重ならずコネクタ部２５が端子１７に被さるように重なり、コネクタ部２５内の断面コ字形をなす筒状の差し込みコネクタが端子１７に外嵌合するように接続される。４５は端子１７の差し込み穴である。これにより電池ボックス３が点灯ブロック２に電線なしで直接接続され、点灯ブロック２に並設される。またコネクタ部２５は点灯ブロック２に向く面に、引っ掛け部１８に弾性係止する着脱レバー２８を設けている。  
【００２２】
電池ボックス３は、さらに点灯ブロック２と対向する面の両側にコネクタ部２５が端子１７に接続された状態で当接する当接部３１としてリブを形成している。また位置決め用ガイド２０に案内される被ガイド部３２として、コネクタ部２５の両側に突起を設けている。さらに電池ボックス３を器具本体１に収納する際に、コネクタ部２５が端子１７に接続されるとほぼ同時に係止片１４にガイドされる被ガイド部３３として、電池ボックス３の点灯ブロック２と反対側に一対のリブを有する。こうして、電池ボックス３は着脱レバー２８が引っ掛け部１８に係止し、係止片１４が電池ボックス３の表面に係止することにより背板１ａに取付けられる。
【００２３】
端子台４は、平面的にみて略四角形であり、内部に速結端子を内蔵し、その速結端子に接続するための複数の電線挿入穴６７を点灯ブロック２の傾斜面２２側に向けて開口側に傾斜して形成している。すなわち、点灯ブロック２に向く方向の成分および背板１ａから離れる方向の成分を有する斜めの方向に向いている。また端子台４の前端部すなわち点灯ブロック２側の端部に、端子台４の取付時に受け端子４０のコネクタとして差し込む差し込み端子４ａを設けている。端子台４の両側に背板１ａに取付けるための取付部６６を設け、差し込み端子４ａを受け端子４０に差し込んだ状態で取付部６６により背板１ａに固定する。これにより、点灯ブロック２に配線なしで直接接続されて点灯ブロック２に並設されている。６４は電源穴７から電線挿入穴６７に引き込んだ電源線であり、傾斜面２２に沿って配線されているため、電源線６４の引き回しのための空間を増やすことができ、施工が容易になっている。端子台４と電池ボックス３が点灯ブロック２に接続されることで、端子台４と電池ボックス３と点灯ブロック２とでなす外形は略四角形をなし、器具本体１の開口１ｆの下部側のスペースの全体を占有する形に収納されており、器具本体１は残りのスペースが電源穴７および取付穴８のある上部側のみに形成される。
【００２４】
ランプホルダ５は、ランプおよび反射板を保持しており、電源穴７および取付穴８よりも上側のスペースに位置するように、ランプの両端の電極に接続されランプホルダ５に保持された接続端子がランプソケット１２に装着されている。これにより、点灯ブロック２の点灯動作によりランプソケット１２を介してランプが給電され点灯する。またランプホルダ５がランプソケット１２に保持されることにより、器具本体１の開口１ｆの表示ユニット３４により閉じられた以外の上部の開口部分が閉じられる。
【００２５】
表示ユニット３４はランプの光を端面より入射する導光板を有し引っ掛け部３４ａが器具本体１の係止部１３に係止して固定されている。この場合、ランプホルダ２を差し込む前に表示ユニット６を開口に挿入して係止部１３の上面に当接しスライドすることにより引っ掛け部６ａを係止部１３の裏面側に係合し、ついでランプホルダ２を装着し表示ユニット６を同時に固定する。これにより、表示ユニット３４の端面にランプホルダ５のランプが対向しランプ光を端面より入射し表示ユニット３４の表面より発光する。
【００２６】
この発明の第２の実施の形態を図５から図７により説明する。すなわち、第１の実施の形態と比較して、端子台４の差し込み端子４ａが端子台４の前端ではなく右側面に設けられている。これにより電線挿入穴６７は器具本体１に取付けられた状態で電池ボックス３と反対側すなわち上側でかつ開口側に向いて傾斜し、すなわち背板１ａに沿う方向の成分と背板１ａから離れる方向の成分を含む傾斜方向に向いている。したがって、電源線６４の挿入は上側より開口側から斜めに挿入できる。その他は第１の実施の形態と同様である。
【図面の簡単な説明】
【００２７】
【図１】この発明の第１の実施の形態の正面図である。
【図２】分解斜視図である。
【図３】点灯ブロックに電池ボックスおよび端子台を接続する前の状態の斜視図である。
【図４】（ａ）は電池ボックスの概略断面図、（ｂ）はその部分拡大図である。
【図５】第２の実施の形態の正面図である。
【図６】その分解斜視図である。
【図７】点灯ブロックに電池ボックスおよび端子台を接続する前の状態の斜視図である。
【図８】従来例の分解斜視図である。
【図９】その表示板ユニットおよびランプホルダを外した状態の正面図である。
【符号の説明】
【００２８】
１    器具本体
１ａ    背板
２    点灯ブロック
３    電池ボックス
４    端子台
４ａ    差し込み端子
１７    端子
１８    引っ掛け部
１９    凹溝部
２０    位置決め用ガイド
２２    傾斜面
２３    点検スイッチ
２４    モニタランプ
２５    コネクタ部
４０    受け端子
６９    リセットスイッチ
６９ａ  リセットボタン
【図１】
0004513715.tif 000002
【図２】
0004513715.tif 000003
【図３】
0004513715.tif 000004
【図４】
0004513715.tif 000005
【図５】
0004513715.tif 000006
【図６】
0004513715.tif 000007
【図７】
0004513715.tif 000008
【図８】
0004513715.tif 000009
【図９】
0004513715.tif 000010